(57)【特許請求の範囲】
【請求項１】
便器を洗浄するための洗浄水を貯える洗浄水タンクの排水口に取り付けられる排水弁装置であって、
前記洗浄水タンクの前記排水口の上方に設けられ、ケーシングの内部に設けられた弁体部を上下方向に移動することにより、前記洗浄水タンクの前記排水口を開閉する排水部本体を有し、
前記排水部本体は、ワイヤ引上げ式の操作装置から延びる操作ワイヤを、前記排水部本体の前記ケーシングの内部に設けられた前記弁体部に着脱可能に取付けることができる取付部を備え、前記取付部は、前記弁体部の軸に設けられ且つ弁体側取付孔を有する弁体側取付孔部と、
前記排水部本体の前記ケーシングに設けられたケーシング取付孔を有するケーシング側取付孔部とを備え、
前記操作ワイヤの端部が、外側から前記ケーシング取付孔を通して前記弁体側取付孔に挿入されるようになっていることを特徴とする排水弁装置。
【請求項２】
前記取付部は、前記操作ワイヤを覆うチューブを、前記排水部本体の前記ケーシングに着脱自在に取付けることができるチューブ取付部を備えている、請求項１に記載の排水弁装置。
【請求項３】
前記取付部の前記チューブ取付部は、取付けた前記チューブが抜けることを抑制するような、突起部を備えている、請求項２に記載の排水弁装置。
【請求項４】
前記取付部の前記チューブ取付部は、取付けた前記チューブが抜けることを防止するような、チューブ抜け止め部材を備えている、請求項２又は３に記載の排水弁装置。
【請求項５】
前記取付部の前記ケーシング側取付孔部の前記ケーシング取付孔と、前記弁体部の軸の上部に設けられた前記弁体側取付孔部の前記弁体側取付孔とが、前記弁体部が上昇された所定位置となる場合に、ほぼ直線状に並ぶ位置に形成される、請求項１に記載の排水弁装置。
【請求項６】
前記チューブは、その端部近傍に前記チューブの外径がチューブ部分よりも少なくとも一部増大された鍔部を備え、
前記取付部の前記チューブ取付部は、上部が前記ケーシングの頂面に開口され、且つ前記鍔部から上方に延びる前記チューブ部分を側方から受け入れるように、前記ケーシングの頂部の側面から内方に向かって延びる幅狭形状の幅狭溝部と、
前記幅狭溝部の下部に接続され、且つ前記ケーシングの頂部の側面から内方に向かって延び、前記鍔部を側方から受け入れるように前記幅狭溝部より幅広に形成された幅広溝部と、を備えている、請求項２乃至４の何れか１項に記載の排水弁装置。
【請求項７】
前記取付部の前記ケーシング側取付孔部は、前記ケーシングにおいて前記ケーシング取付孔から上方に延び且つ内方の前記操作ワイヤの取付位置まで連続するように形成されたケーシング側スリット部を備え、
前記取付部の前記弁体側取付孔部は、前記弁体側取付孔部において前記弁体側取付孔から上方に延び且つ内方の前記操作ワイヤの取付位置まで連続するように形成された弁体側スリット部を備えている、請求項１又は５に記載の排水弁装置。
【請求項８】
請求項１乃至７の何れか１項に記載の排水弁装置を備えたことを特徴とする洗浄水タンク装置。
【請求項９】
上記請求項８記載の洗浄水タンク装置を備えたことを特徴とする水洗大便器。
【発明の詳細な説明】
【技術分野】
【０００１】
本発明は、排水弁装置、この排水弁装置を備えた洗浄水タンク装置、及び、この洗浄水タンク装置を備えた水洗大便器に係り、特に、便器を洗浄するための洗浄水を貯える洗浄水タンクの排水口に取り付けられる排水弁装置、この排水弁装置を備えた洗浄水タンク、及び、この洗浄水タンク装置を備えた水洗大便器に関する。
【背景技術】
【０００２】
従来、特許文献１に示すように、手動式の操作装置から延びる操作部材が、排水弁装置のケーシングの内部に設けられた弁体の主軸部材に取付けられ、手動操作に連動した操作部材の引上げ動作により弁体及び弁体の主軸部材が排水口から引上げられる、いわゆる直動式の排水弁装置が知られている。
【０００３】
このような排水弁装置では、工場等での製造時に、手動式の操作装置から延びる操作部材が、ケーシングの内部の弁体の主軸部材に取付けられ、排水弁装置の外装のケーシングが簡単に取り外して分解できないように組み立てられる。
【先行技術文献】
【特許文献】
【０００４】
【特許文献１】特開２０１３−１０４２７１号公報
【発明の概要】
【発明が解決しようとする課題】
【０００５】
しかしながら、既に手動式の操作装置を取付けている排水弁装置について、後付けで、さらに、自動式のワイヤ引上げ式の操作装置を取付けることにより、自動化に対応した排水弁装置としたいという要請がある。
このような場合に、排水弁装置の設置現場で、排水弁装置の外装のケーシングが簡単に取り外して分解できないため、一端工場等に運び、自動式のワイヤ引上げ式の操作装置を取付ける工程を行う必要があるという問題がある。このように、後付けの自動式の操作装置から延びる操作ワイヤをケーシング内の弁体等に簡便且つ正確に接続することが困難であった。
【０００６】
また、従来の排水弁装置においては、排水弁装置と別に設けられている操作装置と、排水弁装置とが、現場で簡単に取り外し可能に構成されていなかったため、例えば排水弁装置に故障等が生じ、修理・交換等が必要となる場合、排水弁装置と共に操作装置も交換対象となってしまうという問題があった。
【０００７】
そこで、本発明は、従来技術の問題や課題を解決するためになされたものであり、ワイヤ引上げ式の操作装置から延びる操作ワイヤを排水弁装置のケーシング内の弁体に簡便且つ正確に接続することができる取付部を備えている排水弁装置を提供することを目的としている。
【課題を解決するための手段】
【０００８】
上記の目的を達成するために、本発明は、便器を洗浄するための洗浄水を貯える洗浄水タンクの排水口に取り付けられる排水弁装置であって、前記洗浄水タンクの前記排水口の上方に設けられ、ケーシングの内部に設けられた弁体部を上下方向に移動することにより、前記洗浄水タンクの前記排水口を開閉する排水部本体を有し、前記排水部本体は、ワイヤ引上げ式の操作装置から延びる前記操作ワイヤを、前記排水部本体の前記ケーシングの内部に設けられた前記弁体部に着脱可能に取付けることができる取付部を備え、前記取付部は、前記弁体部の軸に設けられ且つ弁体側取付孔を有する弁体側取付孔部と、前記排水部本体の前記ケーシングに設けられたケーシング取付孔を有するケーシング側取付孔部とを備え、前記操作ワイヤの端部が、外側から前記ケーシング取付孔を通して前記弁体側取付孔に挿入されるようになっていることを特徴とする。
このように構成された本発明においては、排水部本体の取付部が、ワイヤ引上げ式の操作装置から延びる操作ワイヤを、排水部本体のケーシングの内部に設けられた弁体部に着脱可能に取付けることができる。
よって、例えば、ワイヤ引上げ式の操作装置を増設して、後から排水弁装置に取付けたい場合に、操作ワイヤを、排水部本体のケーシングの内部に設けられた弁体部に簡便且つ正確に取付けることができる。また、例えば、排水弁装置を、ワイヤ引上げ式の操作装置から取り外して修理又は交換する場合に、操作ワイヤを、排水部本体のケーシングの内部に設けられた弁体部から取り外し、排水弁装置を操作装置から取り外して修理、交換した後に、同じ操作装置の操作ワイヤを同じ又は別の排水弁装置の排水部本体のケーシングの内部に設けられた弁体部に簡便且つ正確に取付けることもできる。
従って、ワイヤ引上げ式の操作装置から延びる操作ワイヤを、排水弁装置のケーシング内の弁体部に簡便且つ正確に接続することができる。
さらに、このように構成された本発明においては、操作ワイヤの端部が、外側からケーシング取付孔を通して弁体側取付孔に挿入され、前記弁体部の軸に設けられた弁体側取付孔部に取り付けられるようになっている。よって、排水部本体の取付部が、ワイヤ引上げ式の操作装置から延びる操作ワイヤを、排水部本体のケーシングの内部に設けられた弁体部に設けられた弁体側取付孔部に着脱可能に取付けることができる。従って、ワイヤ引上げ式の操作装置から延びる操作ワイヤを、排水弁装置のケーシング内の弁体部に簡便且つ正確に接続することができる。
【００１０】
本発明において、好ましくは、前記取付部は、前記操作ワイヤを覆うチューブを、前記排水部本体の前記ケーシングに着脱自在に取付けることができるチューブ取付部を備えている。
このように構成された本発明においては、取付部のチューブ取付部が、操作ワイヤを覆うチューブを、排水部本体のケーシングに着脱可能に取付けることができる。従って、ワイヤ引上げ式の操作装置から延びる操作ワイヤを覆うチューブを、排水弁装置のケーシングに簡便且つ正確に接続することができる。
【００１１】
本発明において、好ましくは、前記取付部の前記チューブ取付部は、取付けた前記チューブが抜けることを抑制するような、突起部を備えている。
このように構成された本発明においては、取付部のチューブ取付部の突起部が、取付けたチューブが抜けることを抑制することができる。従って、ワイヤ引上げ式の操作装置から延びる操作ワイヤを覆うチューブを、排水弁装置のケーシングに簡便且つ確実に接続することができる。
【００１２】
本発明において、好ましくは、前記取付部のチューブ取付部は、取付けた前記チューブが抜けることを防止するような、チューブ抜け止め部材を備えている。
このように構成された本発明においては、取付部のチューブ取付部のチューブ抜け止め部材が、取付けたチューブが抜けることを防止することができる。従って、ワイヤ引上げ式の操作装置から延びる操作ワイヤを覆うチューブを、排水弁装置のケーシングに簡便且つ確実に接続することができる。
【００１３】
本発明において、好ましくは、前記取付部の前記ケーシング取付孔部の前記ケーシング取付孔と、前記弁体部の軸の上部に設けられた前記弁体側取付孔部の前記弁体側取付孔とが、前記弁体部が上昇された所定位置となる場合に、ほぼ直線状に並ぶ位置に形成される。
このように構成された本発明においては、取付部のケーシング取付孔部のケーシング取付孔と、弁体部の軸の上部に設けられた弁体側取付孔部の弁体側取付孔とが、弁体部が上昇された所定位置となる場合に、ほぼ直線状に並ぶ位置となる。従って、操作ワイヤの端部が、外側からケーシング取付孔を通して弁体側取付孔に直線的に挿入されることができる。よって、排水部本体の取付部が、ワイヤ引上げ式の操作装置から延びる操作ワイヤを、排水部本体のケーシングの内部に設けられた弁体部に着脱可能に取付けることができる。
【００１４】
本発明において、好ましくは、前記チューブは、その端部近傍に前記チューブの外径がチューブ部分よりも少なくとも一部増大された鍔部を備え、前記取付部の前記チューブ取付部は、上部が前記ケーシングの頂面に開口され、且つ前記鍔部から上方に延びる前記チューブ部分を側方から受け入れるように、前記ケーシングの頂部の側面から内方に向かって延びる幅狭形状の幅狭溝部と、前記幅狭溝部の下部に接続され、且つ前記ケーシングの頂部の側面から内方に向かって延び、前記鍔部を側方から受け入れるように前記幅狭溝部より幅広に形成された幅広溝部と、を備えている。
このように構成された本発明においては、チューブの外径がチューブ部分よりも少なくとも一部増大された鍔部を、幅広溝部にケーシングの頂部の側面から内方に向かって挿入して取付けることができ、且つこの鍔部から延びるチューブ部分を、幅狭溝部にケーシングの頂部の側方から内方に向かって挿入して取付けることができる。よって、チューブ取付部が、操作ワイヤを覆うチューブを、排水部本体のケーシングに着脱可能に取付けることができる。従って、ワイヤ引上げ式の操作装置から延びる操作ワイヤを覆うチューブを、排水弁装置のケーシングに簡便且つ正確に接続することができる。
【００１５】
本発明において、好ましくは、前記取付部の前記ケーシング取付孔部は、前記ケーシングにおいて前記ケーシング取付孔から上方に延び且つ内方の前記操作ワイヤの取付位置まで連続するように形成されたケーシング側スリット部を備え、前記取付部の前記弁体側取付孔部は、前記弁体側取付孔部において前記弁体側取付孔から上方に延び且つ内方の前記操作ワイヤの取付位置まで連続するように形成された弁体側スリット部を備えている。
このように構成された本発明においては、操作ワイヤの端部が、外側からケーシング取付孔を通して弁体側取付孔に挿入された後、操作ワイヤがケーシング取付孔からケーシング側スリット部内を通って操作ワイヤの取付位置まで移動することができ、且つ操作ワイヤが弁体側取付孔から弁体側スリット部内を通って操作ワイヤの取付位置まで移動することができる。
従って、操作ワイヤの端部が、外側からケーシング取付孔を通して弁体側取付孔に挿入された後、操作ワイヤを、ケーシング取付孔及び弁体側取付孔の上方から取付位置の上方まで向きを変えるように移動することができ、操作ワイヤが弁体部に設けられた弁体側取付孔部を上方に引上げることができるような取付位置にある状態とすることができる。
【００１６】
また、本発明は、排水弁装置を備えた洗浄水タンク装置である。
このように構成された本発明においては、ワイヤ引上げ式の操作装置から延びる操作ワイヤを、排水弁装置のケーシング内の弁体部に簡便且つ正確に接続することができる洗浄水タンク装置を提供することができる。
【００１７】
また、本発明は、洗浄水タンク装置を備えた水洗大便器である。
このように構成された本発明においては、ワイヤ引上げ式の操作装置から延びる操作ワイヤを、排水弁装置のケーシング内の弁体部に簡便且つ正確に接続することができる洗浄水タンク装置を備えた水洗大便器を提供することができる。
【発明の効果】
【００１８】
本発明の排水弁装置、この排水弁装置を備えた洗浄水タンク装置、及び、この洗浄水タンク装置を備えた水洗大便器によれば、ワイヤ引上げ式の操作装置から延びる操作ワイヤを排水弁装置のケーシング内の弁体に簡便且つ正確に接続することができる。
【図面の簡単な説明】
【００１９】
【図１】本発明の一実施形態による排水弁装置が適用される水洗大便器の概略斜視図である。
【図２】図１のＩＩ−ＩＩ線に沿って見た断面図である。
【図３】図１のＩＩＩ−ＩＩＩ線に沿って見た断面図である。
【図４】本発明の一実施形態による排水弁装置が適用される洗浄水タンク装置の蓋部を持ち上げた状態で、操作装置を後付けする様子を説明する洗浄水タンク装置内部の様子を示す概略斜視図である。
【図５】本発明の一実施形態による排水弁装置に操作装置が後付けされた様子を示す概略斜視図である。
【図６】本発明の一実施形態による排水弁装置の取付孔部に取付けられるチューブの断面図である。
【図７】本発明の一実施形態による排水弁装置の分解斜視図である。
【図８】本発明の一実施形態による排水弁装置の蓋部の平面図である。
【図９】本発明の一実施形態による排水弁装置の蓋部の側面図である。
【図１０】本発明の一実施形態による排水弁装置の弁体部の平面図である。
【図１１】本発明の一実施形態による排水弁装置のチューブ抜け止め部材の平面図である。
【図１２】本発明の一実施形態による排水弁装置において、排水部本体を排水口部から上方に取り外す工程を示す図である。
【図１３】本発明の一実施形態による排水弁装置において、弁体部を弁体側取付孔とケーシング側取付孔とがほぼ直線状に並ぶ位置まで持ち上げた状態で、操作ワイヤを排水弁本体のケーシングの外側からケーシング側取付孔に向かって挿入する工程を示す図である。
【図１４】本発明の一実施形態による排水弁装置において、弁体部を持ち上げた状態で、弁体側取付孔とケーシング側取付孔とがほぼ直線状に並び、ケーシング側取付孔の外側から視認できている様子を示す図である。
【図１５】本発明の一実施形態による排水弁装置において、弁体部の弁体側取付孔に操作ワイヤの端部を横向きに挿入した状態を示す図である。
【図１６】本発明の一実施形態による排水弁装置において、操作ワイヤの端部を弁体側取付孔を通過させた後、操作ワイヤのワイヤ部分を上方に向かって側面スリット、内部第１スリット及び内部第２スリット内を通過させる様子を示す図である。
【図１７】本発明の一実施形態による排水弁装置において、チューブの第１鍔部をケーシングの頂部に設けられた幅広溝部に挿入し、チューブをチューブ部取付部に側方から取り付ける様子を示す図である。
【図１８】本発明の一実施形態による排水弁装置において、チューブがチューブ部取付部内の取付位置Ａまで挿入された状態を示す図である。
【図１９】本発明の一実施形態による排水弁装置において、チューブ抜け止め部材をチューブ抜け止め部材取付部に取り付ける工程を示す図である。
【発明を実施するための形態】
【００２０】
以下、添付図面を参照して、本発明の一実施形態による排水弁装置、この排水弁装置を備えた洗浄水タンク装置、及び、この洗浄水タンク装置を備えた水洗大便器について説明する。
まず、図１乃至図３を用いて、本発明の一実施形態による排水弁装置が適用された水洗大便器について説明する。
図１は本発明の一実施形態による排水弁装置が適用された水洗大便器の概略斜視図であり、図２は図１のＩＩ−ＩＩ線に沿って見た断面図であり、図３は図１のＩＩＩ−ＩＩＩ線に沿って見た断面図である。
【００２１】
図１に示すように、本発明の一実施形態による排水弁装置が適用される洗浄水タンク装置を備えた水洗大便器１は、汚物を受ける便器本体２と、この便器本体２の後方の上方に設けられた直方体状の洗浄水タンク装置４とを備えている。洗浄水タンク装置４は、便器を洗浄するための洗浄水を貯える貯水タンク６を備えている。また、この貯水タンク６の底部６ａには、上下方向に貫く排水口１０が設けられている。なお、本発明の一実施形態は、洗浄水タンク装置４と便器本体２とが別々に形成された水洗大便器であってもよく、また、洗浄水タンク装置４と便器本体２とが一体的に形成された、いわゆる、ワンピースの水洗大便器であってもよい。
この洗浄水タンク装置４の頂部には、貯水タンク６の上方の開口部分をほぼ全体的に覆うように、貯水タンク６の上縁に着脱自在に固定されている蓋８が設けられている。
この蓋８の上面には、詳細は後述する押しボタン式の手動操作装置１８が設けられている。使用者が手動操作装置１８の押しボタンを押下する操作を行うことによって、大洗浄モードの洗浄操作又は小洗浄モードの洗浄操作のいずれかの洗浄形態に応じた所定の流量の洗浄水が洗浄水タンク装置４から便器本体２に供給される。
【００２２】
水洗大便器１の便器本体２は、その前方側に設けられたボウル部１２と、このボウル部１２の上縁に形成されたリム部１４とを備えている。
また、便器本体２のボウル部１２の底部には、排水トラップ管路１６の入口１６ａが開口し、この入口１６ａから後方の排水トラップ管路１６は排水ソケット（図示せず）等を介して床下の排出管（図示せず）に接続されている。
本実施形態による水洗大便器１は、サイホン作用を利用してボウル部１２内の汚物を吸い込んで排水トラップ管路１６から一気に外部に排出する、いわゆる、サイホン式の水洗大便器であってもよく、他に、水洗大便器１としては、サイホン式の水洗大便器に限定されず、ボウル部内の水の落差による流水作用で汚物を押し流す、いわゆる、洗い落し式の水洗大便器等の他のタイプの水洗便器にも適用可能である。
【００２３】
つぎに、便器本体２は、貯水タンク６の排水口１０から排出される洗浄水が流入する導水路２０と、リム部１４の前方から見て左側中央近傍に形成された第１リム吐水口２２と、リム部１４の前方から見て右側後方に形成された第２リム吐水口２４（図１参照）とを備えている。
また、導水路２０は、便器本体２の後方の中央から前方側に向かって延びた後、分岐されて第１リム吐水口２２又は第２リム吐水口２４まで延びる流路を形成している。貯水タンク６の排水口１０から排出された洗浄水は、導水路２０において便器本体２の後方の中央から前方側に向かって流れた後、分岐されて、第１リム吐水口２２又は第２リム吐水口２４に到達する。第１リム吐水口２２及び第２リム吐水口２４のそれぞれから吐水された洗浄水は、ボウル部１２を洗浄し、汚物を排水トラップ管路１６から排出するようになっている。
【００２４】
つぎに、図２及び図３により、本発明の一実施形態による排水弁装置が適用された水洗大便器の洗浄水タンクの内部構造について説明する。
図２および図３に示すように、洗浄水タンク装置４は、貯水タンク６内に洗浄水を供給する給水装置２６と、使用者の手指等による操作により大洗浄モードの洗浄操作又は小洗浄モードの洗浄操作のいずれかの洗浄操作を開始させる手動操作装置１８と、貯水タンク６に貯えられた洗浄水について排水口１０を開放して便器本体２の導水路２０に流出させる排水弁装置２８と、を備えている。
【００２５】
また、給水装置２６は、外部の給水源（図示せず）に接続され且つ貯水タンク６の底部から上方に延びるように設けられた給水管３０と、この給水管３０の上端部に取り付けられ、給水管３０から給水される洗浄水の貯水タンク６内への吐水と止水を切り替える給水バルブ３２と、貯水タンク６内の水位の変動に応じて上下動して給水バルブ３２による吐水と止水を切り替えるフロート３４とを備えている。
【００２６】
給水管３０の外周側下端部には、複数の吐水口（図示せず）が形成され、給水バルブ３２を通過した洗浄水が吐水口（図示せず）から貯水タンク６内に吐水されるようになっている。
また、給水装置２６においては、排水弁装置２８により、貯水タンク６内の洗浄水が便器に排水されると、洗浄水の水位が低下してフロート３４が下降し、それにより給水バルブ３２が開き、吐水口からの吐水が開始され、貯水タンク６の外部の給水源（図示せず）から貯水タンク６内への吐水が開始されるようになっている。さらに、吐水が継続されて貯水タンク６内の水位が上昇すると、フロート３４が上昇し、それにより給水バルブ３２が閉鎖され、吐水口からの吐水が止水されるようになっている。これにより、貯水タンク６内の洗浄水の水位が満水時の所定水位に維持されるようになっている。
なお、給水装置２６は、本実施形態では説明を省略するが、リフィール管３６等を備えており、このリフィール管３６から流出する一部の洗浄水が、オーバーフロー管内に流れ込み、便器本体２の導水路２０を経て補給水としてボウル部１２内に供給されることができるようになっている。
【００２７】
手動操作装置１８は、押しボタン式の手動操作装置である。手動操作装置１８は、水洗大便器１の大洗浄モードの洗浄操作の開始を機械的に指令する大洗浄ボタン３８と、水洗大便器１の小洗浄モードの洗浄操作の開始を機械的に指令する小洗浄ボタン４０と、大洗浄ボタン３８の下面側に固定され且つ下方に延びる大洗浄用棒部材４２と、小洗浄ボタン４０の下面側に固定され且つ下方に延びる小洗浄用棒部材４４と、を備えている。
【００２８】
図２に示すように、使用者が大洗浄ボタン３８を押下する操作を行う場合には、大洗浄ボタン３８とともに大洗浄用棒部材４２が押し下げられ、大洗浄用棒部材４２の先端部４２ａが後述する排水弁装置の大洗浄操作部を押し下げるようになっている。
使用者が小洗浄ボタン４０を押下する操作を行う場合には、小洗浄ボタン４０とともに小洗浄用棒部材４４が押し下げられ、小洗浄用棒部材４４の先端部４４ａが後述する排水弁装置の小洗浄操作部を押し下げるようになっている。
使用者がこの大洗浄ボタン３８あるいは小洗浄ボタン４０を押下する操作を行うことによって、排水弁装置２８を大洗浄モードの洗浄操作又は小洗浄モードの洗浄操作のいずれかの洗浄操作に応じて駆動させることができるようになっている。
【００２９】
なお、本発明の一実施形態においては、手動操作装置１８を、大洗浄ボタン３８又は小洗浄ボタン４０を手動で押し下げ操作することにより弁体の引き上げ操作が可能となる例について説明しているが、手動操作装置１８を、操作ハンドル装置の操作ハンドルを手動で回転操作することによりワイヤ巻取り操作装置を操作し、操作ワイヤの引き上げにより弁体の引き上げ操作が可能となる機構により形成していてもよい。
【００３０】
まず、本発明の一実施形態による排水弁装置２８の基本的な構造について説明する。
排水弁装置２８は、貯水タンク６の排水口１０の上方に設けられる排水部本体４８を有している。
排水部本体４８は、排水部本体４８の外観を形成するケーシング５０と、このケーシング５０の内部を上下方向に移動して貯水タンク６の排水口１０を開閉する弁体部５２と、このケーシング５０の外部からの操作により弁体部５２を上方に引上げることができる引上げ機構５４と、この排水口１０の上部において概ね円環状に形成されて上方に向けて突出している弁座５６と、を備えている。
排水部本体４８は、さらに、このケーシング５０の側方において、上下方向に延びるオーバーフロー管５８を備えていてもよい。
【００３１】
ケーシング５０は円筒形状に形成され、ケーシング５０内に収容される弁体部５２を側方及び上方から覆うように形成されている。従って、ケーシング５０内に収容される弁体部５２及び引上げ機構５４等に使用者が容易にアクセスできないように形成されている。
排水部本体４８のケーシング５０は、ケーシング５０の側面を形成する筒状の胴部６０と、この胴部５６の頂部の開口部分を概ね覆うように形成されている概ね円形の蓋部６２とを備えている。
蓋部６２は、つめ等の係合により胴部６０と比較的堅固に固定されるようになっている。すなわち、蓋部６２が一端胴部６０に取付けられた後は、使用者は施工現場等で簡単に取り外すことができず、専門の工場で専門の者が蓋部６２を胴部６０から取り外してケーシングを分解するようになっている。なお、ケーシング５０は、胴部６０と、蓋部６２とが当初から別体ではなく一体として形成されていてもよい。
【００３２】
弁体部５２は、貯水タンク６の排水口１０上に設けられた弁座５６上に着座（当接）することにより排水口１０を閉鎖する弁体６４と、この弁体６４から上方に延びる柱状の主軸部材６６と、この主軸部材６６の上部から横方向にほぼ水平に延びる平板取付部６８とを備えている。この弁体６４は円盤状に形成されている。
平板取付部６８は、主軸部材６６から側方に延びる直方体形状の平板の所定幅の中央近傍において取付孔７０が形成されている。取付孔７０は四角形状の開口部の中央の両腹が外側に向かる凸状に拡がるような開口として形成されている。
【００３３】
引上げ機構５４は、上面がケーシング５０の蓋部６２の頂面に露出するように配置され且つ上下方向に摺動することができる大洗浄操作部７２と、上面が蓋部６２の頂面に露出するように配置され且つ上下方向に摺動することができる小洗浄操作部７４と、大洗浄操作部７２又は小洗浄操作部７４が下方に押し込まれるとき、待機状態から回転軸を中心に回転するようになっている第１回転リンク７６と、自身の上端が第１回転リンク７６の一端に回転可能に取付けられ、第１回転リンク７６の回転量に応じて、自身が上方に移動するようになっている第２リンク７８と、を備えている。
【００３４】
第１回転リンク７６は、大洗浄操作部７２の比較的大きな押し込みの移動量に対応して、比較的大きな回転量まで回転されるようになっている。第１回転リンク７６は、小洗浄操作部７４の比較的小さな押し込みの移動量に対応して、比較的小さな回転量まで回転されるようになっている。
第２リンク７８の下端部は、平板取付部６８の取付孔７０内に挿入された後、向きを変えて配置されていることにより、第２リンク７８の上昇時に平板取付部６８の下面と係合して、平板取付部６８及び弁体部５２全体を引上げることができる。
【００３５】
従って、大洗浄操作部７２及び小洗浄操作部７４が下方に押し込まれていない待機状態においては、第１回転リンク７６が待機状態にあり、第１回転リンク７６と連結されている第２リンク７８の下端部が平板取付部６８と係合しておらず、弁体部５２は排水口１０を閉鎖している状態となっている。
次に、図３に示すように、使用者が大洗浄ボタン３８を押し下げ操作して、大洗浄操作部７２が下方に押し込まれて大洗浄モードの洗浄操作が開始される場合においては、第１回転リンク７６が比較的大きな回転量だけ回転され、第２リンク７８が上方に比較的大きな移動量引き上げられる。よって、第２リンク７８の下端部が平板取付部６８を比較的大きな移動量まで引上げ、弁体部５２は排水口１０を開き、大洗浄モードの洗浄操作が開始される。
次に、使用者が小洗浄ボタン４０を押し下げ操作して、小洗浄操作部７４が下方に押し込まれて小洗浄モードの洗浄操作が開始される場合においては、第１回転リンク７６が比較的小さな回転量だけ回転され、第２リンク７８が上方に比較的小さな移動量引き上げられる。よって、第２リンク７８の下端部が平板取付部６８を比較的小さな移動量まで引上げ、弁体部５２は排水口１０を開き、小洗浄モードの洗浄操作が開始される。
【００３６】
オーバーフロー管５８は、このオーバーフロー管５８内の下方流路５８ａの下流側端部が、弁座５６の下方の排水口１０と連通するようになっている。オーバーフロー管５８は、貯水タンク６内の洗浄水がオーバーフロー管５８の上端位置に相当する高さの水位を超えた場合に排水弁装置２８へ流出させることができる。
【００３７】
さらに、図２に示すように排水部本体４８の弁座５６よりも上方の領域には、周方向に複数の連通口８０が形成されており、各連通口８０の開口断面は、正面視において矩形状に形成されている。
また、この連通口８０は、図６に示すように、貯水タンク６内部と排水部本体４８内部とを連通させ、貯水タンク６内の洗浄水を排水口１０内に流入させることができる。
【００３８】
次に、図４乃至図１１を用いて、本発明の一実施形態による排水弁装置２８は、排水弁装置２８にさらに別の操作装置を後付けすることができる排水弁装置２８ことについて説明する。
図４は本発明の一実施形態による排水弁装置が適用される洗浄水タンク装置の蓋部を持ち上げた状態で、操作装置を後付けする様子を説明する洗浄水タンク装置内部の様子を示す概略斜視図であり、図５は本発明の一実施形態による排水弁装置に操作装置が後付けされた様子を示す概略斜視図であり、図６は本発明の一実施形態による排水弁装置の取付孔部に取付けられるチューブの断面図であり、図７は本発明の一実施形態による排水弁装置の分解斜視図であり、図８は本発明の一実施形態による排水弁装置の蓋部の平面図であり、図９は本発明の一実施形態による排水弁装置の蓋部の側面図であり、図１０は本発明の一実施形態による排水弁装置の弁体部の平面図であり、図１１は本発明の一実施形態による排水弁装置のチューブ抜け止め部材の平面図である。なお、図５においては、チューブ８８及び操作ワイヤ８６が取付位置Ａに取付けられた状態となっている。
【００３９】
図４および図５に示すように、押しボタン式の手動操作装置の他に、さらに別のワイヤ引上げ式の操作装置８２を、排水弁装置２８排水弁装置２８の後方側に接続することができる。
ワイヤ引上げ式の操作装置８２は、便器の使用者を検知したセンサ等からの信号（又はセンサ等からの信号を受信した制御部から発信される制御信号）に基づいて電気的に駆動されるモーター等によりワイヤの引上げを行うような自動洗浄用の電動操作装置である。
なお、ワイヤ引上げ式の操作装置８２は、使用者によるレバー等の回転等の操作をワイヤ引上げ動作に変換するような手動操作装置であってもよいし、壁付けのリモコン等からの信号（又はセンサ等からの信号を受信した制御部から発信される制御信号）に基づいて電気的に駆動されたモーター等によりワイヤ引上げを行うような自動洗浄用以外の電動操作装置であってもよいし、手動式と電動式が一体となってワイヤ引上げ動作を行うようなものでもよい。
【００４０】
自動洗浄用の電動操作装置であるワイヤ引上げ式の操作装置８２を、すでに手動操作装置を有している排水弁装置２８に、排水弁装置２８の組立後、排水弁装置２８の洗浄水タンク装置４内への設置後、又は排水弁装置２８を洗浄水タンク装置４内に備え付けた状態で一定期間使用した後に、後付けできることにより、手動操作式の洗浄水タンク装置を備えた手動洗浄式の水洗大便器を、自動洗浄用の洗浄水タンク装置を備えた自動洗浄式の水洗大便器に変更することができるメリットがある。
【００４１】
他に、例えば、ワイヤ引上げ式の操作装置８２を、排水弁装置２８に、取付けした後において、排水弁装置２８に故障等の不具合が発生した場合には、排水弁装置２８及び操作装置８２の両方を、修理及び/又は交換等に出さなくてもよい。すなわち、排水弁装置２８から操作装置８２を、現場で簡単に取り外すことができ、排水弁装置２８のみを修理及び/又は別の新しい排水弁装置２８に交換することができる。また、操作装置８２に故障等の不具合が発生した場合においても同様であり、操作装置８２のみを修理及び/又は別の新しい操作装置８２に交換することができる。
【００４２】
ワイヤ引上げ式の操作装置８２は、ワイヤの引上装置（図示せず）を有している操作装置本体８４と、一端が操作装置本体８４の引上装置に接続され、他端が排水弁装置２８内の弁体部５２に取付けられる操作ワイヤ８６と（図１４等参照）、一端が操作装置本体８４に接続され、他端が排水弁装置２８のケーシング５０に取付けられるチューブ８８と、を備えている。
操作ワイヤ８６は、金属製の部材である。操作ワイヤ８６は、所定長さを横向きに保持したときにある程度直線的な姿勢を維持できる程度の剛性を保ちつつ且つチューブ８８の曲りや巻き上げによる曲りにも合わせられる可撓性も有するように形成されている。操作ワイヤ８６は、その端部８６ａはワイヤ部分８６ｂよりも径が太く形成され且つ直方体形状に形成されている。操作ワイヤの端部８６ａは直方体形状であり、底面に平行な断面においては概ね矩形（四角形）状の断面を有している。
【００４３】
チューブ８８は、ゴム等の可撓性の部材により中空形状に形成されている。操作ワイヤ８６が、チューブ８８内で摺動可能となっている。
図６に示すように、チューブ８８は、その排水弁装置２８に接続される側の端部近傍にチューブ８８の外径が少なくとも一部増大された第１鍔部（抜け止め部）８８ａ及び第２鍔部（抜け止め部）８８ｂを備えている。本実施形態においては、これらの鍔部はチューブ８８の外周上に環状に外側に突出して形成されている。これらの鍔部は外周上に外側に突出する他の形状に形成されていてもよい。
第１鍔部８８ａは、後述する蓋部６２の溝部のうち幅広である幅広溝部に挿入されることにより、チューブ８８が縦方向へ抜けることを防ぐようになっている。
【００４４】
ワイヤ引上げ式の操作装置８２は、貯水タンク６の外部且つ便器本体２後方の使用者から見えにくい部分に配置される。なお、後付の操作装置８２は、貯水タンク６の内部に配置することも可能である。
【００４５】
次に、本発明の一実施形態による排水弁装置２８において、図４乃至図１１に示すように、押しボタン式の手動操作装置の他に、さらに別のワイヤ引上げ式の操作装置４６を、排水弁装置２８に接続することができる構造について説明する。
【００４６】
図５及び図６等に示すように、排水弁装置２８の排水部本体４８は、ワイヤ引上げ式の操作装置８２から延びる操作ワイヤ８６を、排水部本体４８のケーシング５０の内部に設けられた弁体部５２に着脱可能に取付けることができる取付部９０を備えている。
排水部本体４８の取付部９０は、弁体部５２の軸の上部に設けられ且つ弁体側取付孔９４を有する弁体側取付孔部９２と、排水部本体４８のケーシング５０の上部に設けられたケーシング側取付孔９８を有するケーシング側取付孔部９６と、操作ワイヤ８６を覆うチューブ８８を、排水部本体４８のケーシング５０に着脱可能に取付けることができるチューブ取付部１００と、を備えている。
【００４７】
図３、図７及び図１０に示すように、弁体側取付孔部９２は、主軸部材６６の上部から横方向にほぼ水平に延びた部分から上方に延びた後にわずかに水平に延び、その後、下方に延びるような、山形に湾曲したフック（鉤）形状に形成されている。弁体側取付孔部９２は、平板取付部６８と反対方向に延びている。弁体側取付孔部９２は、平板取付部６８と同様に所定幅を有している。弁体側取付孔部９２は、そのフック状部分の外方の端部において横向きに開口する弁体側取付孔９４を有している。
弁体側取付孔９４は、概ね長方形形状の開口部を形成している。弁体側取付孔９４は、概ね直方体形状の操作ワイヤ８６の端部８６ａが通過できる大きさ且つ端部よりもわずかに大きな大きさに形成されている。よって弁体側取付孔９４は、操作ワイヤ８６のワイヤ部分８６ｂも通過させることができる。なお、弁体側取付孔９４は、ケーシング側取付孔９８よりも小さな大きさに形成されている。
弁体側取付孔９４の中央上方には後述する弁体側スリット部１０２が接続され、開口部が連続している。
【００４８】
ケーシング側取付孔部９６は、上述のケーシング側取付孔９８と、後述するように、ケーシング側取付孔９８から上方に延び且つ内方の操作ワイヤ８６の取付位置Ａまで連続するように形成されたケーシング側スリット部１０４とを備えている。
図５及び図７等に示すように、ケーシング側取付孔９８は、ケーシング５０の胴部６０の上部の側面に、矩形状の貫通孔を形成している。また、ケーシング側取付孔９８は、胴部６０の側面の周上において、後述する弁体側取付孔９４の外周向きの開口方向の延長線上の領域を含むような領域に形成されている。四角形状のケーシング側取付孔９８は、概ね直方体形状の操作ワイヤ８６の端部８６ａが通過できる大きさに形成されている。よってケーシング側取付孔９８は、操作ワイヤ８６のワイヤ部分８６ｂも通過させることができる。ケーシング側取付孔９８の中央上方には後述するケーシング側スリット部１０４が接続され、開口部が上方に連続している。
【００４９】
図５に示すように、チューブ取付部１００は、操作装置８２から延びるチューブ８８を取り付けることができるようになっている。
図５および図８に示すように、チューブ取付部１００は、蓋部６２の頂部において、幅の異なる複数の溝部がそれぞれ側部からほぼ水平に、内方且つ弁体側取付孔部９２の上方の領域まで形成されている。
【００５０】
このチューブ取付部５２は、上部が蓋部６２の頂面６２ａに開口され、第１鍔部８８ａから上方に延びるチューブ部分８８ｃを側方から受け入れるように、蓋部６２の側面から内側の弁体側取付孔部９２の上方の取付位置Ａに向かって延びる幅狭の第１幅狭溝部１０６と、第１幅狭溝部１０６の下部に接続され、且つ蓋部６２の頂部の側面から内側の弁体側取付孔部９２の上方の取付位置Ａに向かって延びると共に鍔部を側方から受け入れるように第１幅狭溝部１０６より幅広に形成された幅広溝部１０８と、下部がケーシング５０内部の空間に開口され、第１鍔部８８ａから下方に延びるチューブ部分８８ｄを側方から受け入れるように、蓋部６２の側面から内側の弁体側取付孔部９２の上方の取付位置Ａに向かって延びる幅狭の第２幅狭溝部１１０とを備えている。弁体側取付孔部９２の上方の取付位置Ａとは、弁体側取付孔部９２を上方から操作ワイヤ８６により引上げる動作を行えるために、チューブ８８が取付けられるべき所定の取付位置を示している。
【００５１】
よって、チューブ取付部１００は、チューブを蓋部６２の側面から横向きに水平に挿入するようにして、第１鍔部８８ａから上方に延びるチューブ部分８８ｃを第１幅狭溝部１０６に沿って通過させ、第１鍔部８８ａを幅広溝部１０８に沿って通過させ、且つ第１鍔部８８ａから下方に延びるチューブ部分８８ｄを第２幅狭溝部１１０に沿って通過させることができ、チューブ８８を弁体側取付孔部９２の上方の取付位置Ａに取付けることができる。
【００５２】
図８及び図９等に示すように、チューブ取付部１００は、さらに、第１幅狭溝部１０６に、取付けたチューブ部分８８ｃが側方に向かって抜けることを抑制するような、突起部１１２を備えている。突起部１１２は、第１幅狭溝部１０６において、取付位置Ａよりやや外側の位置且つ後述するチューブ抜け止め部材取付部より内側の両側壁から第１幅狭溝部１０６の内側方向（排水弁装置の周方向）に向かってわずかに突出する２つの突起部を形成している。
【００５３】
図５乃至図９、及び図１１等に示すように、チューブ取付部１００は、さらに、チューブ取付部１００からチューブ８８が抜けることを防ぐための、チューブ抜け止め部材１１４と、チューブ抜け止め部材１１４を取付けるために、蓋部６２の頂面において第１幅狭溝部１０６の取付位置Ａより外側の位置且つ突起部１１２より外側の位置における第１幅狭溝部１０６の全長の中間領域から左右に翼形状に拡がるように延びている窪み部１１８を形成しているチューブ抜け止め部材取付部１１６と、を備えている。
【００５４】
続いて、図１１に示すように、チューブ抜け止め部材１１４は平面視で概ねＴ字型に形成されている。
チューブ抜け止め部材１１４は、排水弁装置２８の内側に向いた円弧形状に形成され且つチューブの第２鍔部８８ｂの外側を外側に抜けないように抑える抑え部１１４ａと、Ｔ字型の左右両端から下方に延びる爪部１１４ｂと、Ｔ字型の外方側の端からほぼ垂直下方に延びる嵌合部１１４ｃとを備えている。嵌合部１１４ｃは上方から下方に向かって概ね直方体形状を形成し、その左右方向（周方向）の幅は第１幅狭溝部１０６の幅よりもわずかに小さい幅に形成されている。嵌合部１１４ｃは、側面近傍の領域において、第１幅狭溝部１０６、幅広溝部１０８及び第２幅狭溝部１１０に嵌合されるようになっている。
チューブ抜け止め部材１１４は、弾性部材により形成され、手指等の操作により爪部１１４ｂと係止孔１２０との係合等を解除して、チューブ抜け止め部材取付部１１６から取り外されることができる。
【００５５】
チューブ抜け止め部材取付部１１６は、さらに、自身の左右の端部付近に矩形状の係止孔１２０を形成している。係止孔１２０は、周囲の窪み部１１８よりも深くまで形成され、蓋部６２の裏面に貫通するように形成されている。従って、チューブ抜け止め部材１１４の爪部１１４ｂが、係止孔１２０に挿入された状態で係止できるようになっている。
このように、チューブ抜け止め部材取付部１１６は、上述のような窪み部１１８、係止孔１２０、第１幅狭溝部１０６の全長の中間領域から外側の側面までの領域Ｂ、幅広溝部１０８の側面近傍の領域Ｃ及び第２幅狭溝部１１０の側面近傍の領域Ｄ、により形成されている。
【００５６】
チューブ抜け止め部材取付部１１６に、チューブ抜け止め部材１１４が嵌合されて固定された状態となる。爪部１１４ｂが蓋部６２のチューブ抜け止め部材取付部１１６の係止孔１２０に係止されることでチューブ抜け止め部材１１４がチューブ抜け止め部材取付部１１６から脱落することを防止している。取付けた状態で、チューブ抜け止め部材１１４の直方体形状の嵌合部１１４ｃが、第１幅狭溝部１０６から第２幅狭溝部１１０までの側面近傍の領域Ｂから領域Ｃを介して領域Ｄまでの領域に嵌合する。
このようにして、チューブ８８がチューブ取付部１００から側方（外側方向）に向かって移動しようとする場合に、チューブ抜け止め部材取付部１１６内に嵌合しているチューブ抜け止め部材１１４がチューブ８８の移動を止めることができ、チューブ８８の抜けを防止することができる。
【００５７】
次に、図７乃至図９等に示すように、ケーシング側取付孔部９６のケーシング側スリット部１０４について説明する。
ケーシング側取付孔部９６は、さらに、ケーシング側取付孔９８から上方に延び且つ内方の操作ワイヤの取付位置Ａまで連続するように形成されたケーシング側スリット部１０４を備えている。
【００５８】
ケーシング側取付孔９８とケーシング側スリット部１０４とは連通している。
ケーシング側スリット部１０４は、図９に示すように胴部６０の側面上においてケーシング側取付孔９８の中央上方から上方に延びて、蓋部６２の側面の第２幅狭溝部１１０の下端まで延びている細溝を形成している側面スリット１２２と、図７に示すように、第２幅狭溝部１１０の下端において外周面上から内側に延びる細溝を形成している内部第１スリット１２４と、内部第１スリット１２４の内側端から操作ワイヤ８６の取付位置Ａよりさらに内側の領域まで、第２幅狭溝部１１０の下端がケーシングの内部空間と連通するように比較的大きく開口されている内部第２スリット１２６と、を備えている。
【００５９】
詳細については後述するが、操作ワイヤ８６の取付け時に、ケーシング側取付孔９８に通されたワイヤ部分８６ｂを、側面スリット１２２を通過させながら側面上を上昇させ、内部第１スリット１２４を通過させながら内側向きに上昇させ、内部第２スリット１２６を通過させながら、操作ワイヤ８６の取付位置Ａまで移動させることが出来る。
側面スリット１２２及び内部第１スリット１２４のスリットの大きさは、操作ワイヤ８６の端部８６ａが通過することができないように端部８６ａの大きさよりも小さい大きさに形成され、逆に、操作ワイヤ８６のワイヤ部分８６ｂが自由に移動することができるようにワイヤ部分８６ｂの径よりも大きい大きさに形成されている。
なお、スリットは、孔、溝、開口又は隙間により形成されていてもよい（以下同様）。
【００６０】
次に、図７及び図１０等に示すように、弁体側取付孔部９２の弁体側スリット部１０２について説明する。
弁体側取付孔部９２は、さらに、弁体側取付孔部９２において弁体側取付孔９４から上方に延び且つ内方の主軸部材６６に向かって操作ワイヤ８６の取付位置Ａまで連続するように細溝が形成された弁体側スリット部１０２を備えている。
【００６１】
この弁体側スリット１０２は弁体側取付孔９４と連通している。弁体側スリット部１０２は、弁体側取付孔９４の中央上方に延びるように形成され、側方から見て、フック形状にあわせてなだらかに上昇しながら山形の頂点で水平になるように形成されているスリットである。弁体側スリット部１０２の終端は、上面視で、フック状部分のほぼ中央部分の近傍に位置している。弁体側スリット部１０２のうち、フック状部分のほぼ中央部分の最も高い位置が、操作ワイヤ８６の取付位置Ａとなる。
【００６２】
弁体側スリット部１０２のスリットの大きさは、操作ワイヤ８６の端部８６ａが通過することができないように端部８６ａの大きさよりも小さい大きさに形成され、逆に、操作ワイヤ８６のワイヤ部分８６ｂが自由に移動することができるようにワイヤ部分８６ｂの径よりも大きい大きさに形成されている。
弁体側取付孔部９２が、弁体側スリット部１０２の内側にワイヤ部分８６ｂを通して操作ワイヤ８６を挟み込むよう保持しているので、操作ワイヤ８６の端部８６ａの引上げ動作が、弁体側スリット部１０２に、比較的精度が高く伝達されることができる。
【００６３】
次に、図１２乃至図２０を用いて、本発明の一実施形態による排水弁装置２８にさらに別のワイヤ引上げ式の操作装置８２を後付する工程について説明する。
図１２は、本発明の一実施形態による排水弁装置において、排水部本体を排水口部から上方に取り外す工程を示す図であり、図１３は、本発明の一実施形態による排水弁装置において、弁体部を弁体側取付孔とケーシング側取付孔とがほぼ直線状に並ぶ位置まで持ち上げた状態で、操作ワイヤを排水弁本体のケーシングの外側からケーシング側取付孔に向かって挿入する工程を示す図であり、図１４は、本発明の一実施形態による排水弁装置において、弁体部を持ち上げた状態で、弁体側取付孔とケーシング側取付孔とがほぼ直線状に並び、ケーシング側取付孔の外側から視認できている様子を示す図であり、図１５は、本発明の一実施形態による排水弁装置において、弁体部の弁体側取付孔に操作ワイヤの端部を横向きに挿入した状態を示す図であり、図１６は、本発明の一実施形態による排水弁装置において、操作ワイヤの端部を弁体側取付孔を通過させた後、操作ワイヤのワイヤ部分を上方に向かって側面スリット、内部第１スリット及び内部第２スリット内を通過させる様子を示す図であり、図１７は、本発明の一実施形態による排水弁装置において、チューブの第１鍔部をケーシングの頂部に設けられた幅広溝部に挿入し、チューブをチューブ取付部に側方から取り付ける様子を示す図であり、図１８は、本発明の一実施形態による排水弁装置において、チューブがチューブ取付部内の取付位置Ａまで挿入された状態を示す図であり、図１９は、本発明の一実施形態による排水弁装置において、チューブ抜け止め部材をチューブ抜け止め部材取付部に取り付ける工程を示す図である。
【００６４】
図１３に示すように、当初、本発明の一実施形態による排水弁装置２８は、押しボタン式の手動操作装置１８に対応する引上げ機構５４を有し、使用者の手動操作により弁体６４を開閉でき、水洗大便器を洗浄することができる。しかしながら、排水弁装置２８は、自動洗浄用の電動操作装置であるワイヤ引上げ式の操作装置８２を、未だ取付けていない状態である。
【００６５】
本発明の一実施形態による排水弁装置２８にさらに別のワイヤ引上げ式の操作装置８２を後付けしようとする者は、取付けようとするワイヤ引上げ式の操作装置８２を準備する。
【００６６】
まず、図１３に示すように、本発明の一実施形態による排水弁装置２８において、排水部本体４８を、排水弁装置２８の排水口１０の周りに設けられた排水口部５３から上方に引上げるようにして取り外す。
【００６７】
続いて、図１４および図１５に示すように、弁体部５２の弁体側取付孔部９２に形成された弁体側取付孔９４とケーシング５０に形成されたケーシング側取付孔９８とがほぼ直線状に並ぶ位置（すなわち、ケーシング側取付孔９８から弁体側取付孔部９２を視認できるような関係にある位置）まで弁体部５２を持ち上げる。例えば、弁体部５２は、弁体側取付孔９４とケーシング側取付孔９８とが対向する位置に持ち上げられてもよい。
この状態で、図１４に示すように、チューブ８８の先端から延びる操作ワイヤ８６の端部８６ａを、直線的に横方向に向かって、排水部本体４８の外側から、ケーシング側取付孔９８及び弁体側取付孔９４に向かって挿入する。従って、作業者は、弁体側取付孔９４を視認しながら、端部８６ａを、弁体側取付孔９４の比較的小さい開口部に通すことができる。
【００６８】
さらに、図１６に示すように、ケーシング側取付孔９８を通過した操作ワイヤ８６の端部８６ａを、さらに、弁体側取付孔９４に挿入し、弁体側取付孔９４を通過させている。
【００６９】
続いて、図１７に示すように、操作ワイヤ８６の端部８６ａ先端を弁体側取付孔９４を通り抜けた状態としたまま、操作ワイヤ８６を上方に引き上げる。
このとき、操作ワイヤ８６を引き上げると、操作ワイヤ８６のワイヤ部分８６ｂを、側面スリット１２２を通過させながら側面上を上昇させ、内部第１スリット１２４を通過させながら内側向きに上昇させ、内部第２スリット１２６を通過させながら、最終的には、操作ワイヤ８６の取付位置Ａまで移動させることが出来る。  なお、この際、弁体側取付孔９４に挿入された操作ワイヤ８６の端部８６ａ近傍のワイヤ部分８６ｂは弁体側スリット部１０２（図１０参照）を通りながら、最終的には、操作ワイヤ８６の取付位置Ａの水平方向位置まで移動することが出来る。操作ワイヤ８６の端部８６ａが弁体側取付孔９４から弁体側スリット部１０２側に移動しながら上昇することにより、端部８６ａが弁体側取付孔９４から再び抜け出て外れることが防止される。
【００７０】
続いて、図１８及び図１９に示すように、チューブ８８をケーシング５０の側方からチューブ取付部１００にスライドするように挿入する。
より具体的には、チューブ８８の第１鍔部８８ａを幅広溝部１０８に合わせて側方から挿入する。チューブ８８のチューブ部分８８ｃを第１幅狭溝部１０６に合わせて側方から挿入する。また、チューブ８８のチューブ部分８８ｄを第２幅狭溝部１１０に合わせて側方から挿入する。
【００７１】
チューブ８８の全体がチューブ取付部１００内の各溝部に沿って水平方向に取付位置Ａにむかって移動される。
続いて、図１９に示すように、さらにチューブ８８のチューブ部分８８ｃが突起部１１２（図８参照）を乗り越えてさらに突起部１１２よりも中心側の取付位置Ａに至るように押し込まれる。チューブ８８が突起部１１２を乗り越えて配置されていることにより、チューブ８８がチューブ取付部１００から容易に脱落することが抑制される。
【００７２】
最後に、図２０に示すように、チューブ抜け止め部材１１４をチューブ取付部１００内のチューブ８８が位置している部分より外側の各溝部分により形成されるチューブ抜け止め部材取付部１１６に嵌合する。チューブ抜け止め部材１１４は、爪部１１４ｂにより係止孔１２０に係止される。
このようにして、操作ワイヤの端部８６ａを弁体部５２の弁体側取付孔部９２に取付けることができ、且つチューブ８８を排水部本体４８に固定することができる。
【００７３】
上述した本発明の実施形態による排水弁装置２８によれば、排水部本体４８の取付部９０が、ワイヤ引上げ式の操作装置８２から延びる操作ワイヤ８６を、排水部本体４８のケーシング５０の内部に設けられた弁体部５２に着脱可能に取付けることができる。
よって、例えば、ワイヤ引上げ式の操作装置８２を増設して、後から排水弁装置２８に取付けたい場合に、操作ワイヤ８６を、排水部本体４８のケーシング５０の内部に設けられた弁体部５２に簡便且つ正確に取付けることができる。また、例えば、排水弁装置２８を、ワイヤ引上げ式の操作装置８２から取り外して修理又は交換する場合に、操作ワイヤ８６を、排水部本体４８のケーシング５０の内部に設けられた弁体部５２から取り外し、排水弁装置２８を操作装置８２から取り外して修理、交換した後に、同じ操作装置８２の操作ワイヤ８６を同じ又は別の排水弁装置２８の排水部本体４８のケーシング５０の内部に設けられた弁体部５２に簡便且つ正確に取付けることもできる。
従って、ワイヤ引上げ式の操作装置８２から延びる操作ワイヤ８６を、排水弁装置２８のケーシング５０内の弁体部５２に簡便且つ正確に接続することができる。
【００７４】
また、本実施形態による排水弁装置２８によれば、操作ワイヤ８６の端部８６ａが、外側からケーシング取付孔９８を通して弁体側取付孔９４に挿入され、弁体部５２の軸の上部に設けられた弁体側取付孔部９２に取り付けられるようになっている。よって、排水部本体４８の取付部９０が、ワイヤ引上げ式の操作装置８２から延びる操作ワイヤ８６を、排水部本体４８のケーシング５０の内部に設けられた弁体部５２の上部に設けられた弁体側取付孔部９２に着脱可能に取付けることができる。従って、ワイヤ引上げ式の操作装置８２から延びる操作ワイヤ８６を、排水弁装置２８のケーシング５０内の弁体部５２に簡便且つ正確に接続することができる。
【００７５】
さらに、本実施形態による排水弁装置２８によれば、取付部９０のチューブ取付部１００が、操作ワイヤ８６を覆うチューブ８８を、排水部本体４８のケーシング５０に着脱可能に取付けることができる。従って、ワイヤ引上げ式の操作装置８２から延びる操作ワイヤ８６を覆うチューブ８８を、排水弁装置２８のケーシング５０に簡便且つ正確に接続することができる。
【００７６】
また、本実施形態による排水弁装置２８によれば、取付部９０のチューブ取付部１００の突起部１１２が、取付けたチューブ８８が抜けることを抑制することができる。従って、ワイヤ引上げ式の操作装置８２から延びる操作ワイヤ８６を覆うチューブ８８を、排水弁装置２８のケーシング５０に簡便且つ確実に接続することができる。
【００７７】
さらに、本実施形態による排水弁装置２８によれば、取付部９０のチューブ取付部１００のチューブ抜け止め部材１１４が、取付けたチューブ部分８８ｃが抜けることを防止することができる。従って、ワイヤ引上げ式の操作装置８２から延びる操作ワイヤ８６を覆うチューブ８８を、排水弁装置２８のケーシング５０に簡便且つ確実に接続することができる。
【００７８】
また、本実施形態による排水弁装置２８によれば、取付部９０のケーシング側取付孔部９２のケーシング取付孔９４と、弁体部５２の軸の上部に設けられた弁体側取付孔部９２の弁体側取付孔９４とが、弁体部５２が上昇された所定位置となる場合に、ほぼ直線状に並ぶ位置となる。従って、操作ワイヤ８６の端部８６ａが、外側からケーシング取付孔９８を通して弁体側取付孔９４に直線的に挿入されることができる。よって、排水部本体４８の取付部９０が、ワイヤ引上げ式の操作装置８２から延びる操作ワイヤ８６を、排水部本体４８のケーシング５０の内部に設けられた弁体部５２に着脱可能に取付けることができる。
【００７９】
さらに、本実施形態による排水弁装置２８によれば、チューブ８８の外径がチューブ部分８８ｃよりも少なくとも一部増大された第１鍔部８８ａを、幅広溝部１０８にケーシング５０の頂部の側面から内方に向かって挿入して取付けることができ、且つこの第１鍔部８８ａから延びるチューブ部分８８ｃを、第１幅狭溝部１０６にケーシング５０の頂部の側方から内方に向かって挿入して取付けることができる。よって、チューブ取付部が、操作ワイヤを覆うチューブを、排水部本体のケーシングに着脱可能に取付けることができる。従って、ワイヤ引上げ式の操作装置から延びる操作ワイヤを覆うチューブを、排水弁装置のケーシングに簡便且つ正確に接続することができる。
【００８０】
また、本実施形態による排水弁装置２８によれば、操作ワイヤ８６の端部が、外側からケーシング取付孔９８を通して弁体側取付孔９４に挿入された後、操作ワイヤ８６がケーシング取付孔９８からケーシング側スリット部１０４内を通って操作ワイヤ８６の取付位置まで移動することができ、且つ操作ワイヤ８６が弁体側取付孔９４から弁体側スリット部１０２内を通って操作ワイヤ８６の取付位置Ａまで移動することができる。
従って、操作ワイヤ８６の端部８６ａが、外側からケーシング取付孔９８を通して弁体側取付孔９４に挿入された後、操作ワイヤ８６を、ケーシング取付孔９８及び弁体側取付孔９４の上方から取付位置Ａの上方まで向きを変えるように移動することができ、操作ワイヤ８６が弁体部５２に設けられた弁体側取付孔部９２を上方に引上げることができるような取付位置Ａにある状態とすることができる。
【００８１】
さらに、本実施形態による洗浄水タンク装置４によれば、ワイヤ引上げ式の操作装置８２から延びる操作ワイヤ８６を、排水弁装置２８のケーシング５０内の弁体部５２に簡便且つ正確に接続することができる洗浄水タンク装置４を提供することができる。
【００８２】
また、本実施形態による水洗大便器１によれば、ワイヤ引上げ式の操作装置８２から延びる操作ワイヤ８６を排水弁装置２８のケーシング５０内の弁体部５２に簡便且つ正確に接続することができる洗浄水タンク装置４を備えた水洗大便器１を提供することができる。
【符号の説明】
【００８３】
２        便器本体
４        洗浄水タンク装置
６        貯水タンク
６ａ      底部
８        蓋
１０      排水口
１２      ボウル部
１４      リム部
１６ａ    入口
１６      排水トラップ管路
２０      導水路
２２      第１リム吐水口
２４      第２リム吐水口
２６      給水装置
２８      排水弁装置
３０      給水管
３２      給水バルブ
３４      フロート
３６      リフィール管
３８      大洗浄ボタン
４０      小洗浄ボタン
４２      大洗浄用棒部材
４４      小洗浄用棒部材
４４ａ    先端部
４８      排水部本体
５０      ケーシング
５２      弁体部
５３      排水口部
５４      引上げ機構
５６      弁座
５８      オーバーフロー管
５８ａ    下方流路
６０      胴部
６２      蓋部
６２ａ    頂面
６４      弁体
６６      主軸部材
６８      平板取付部
７０      取付孔
７２      大洗浄操作部
７４      小洗浄操作部
７６      第１回転リンク
７８      第２リンク
８０      連通口
８２      操作装置
８４      操作装置本体
８６      操作ワイヤ
８６ａ    端部
８６ｂ    ワイヤ部分
８８      チューブ
８８ａ    第１鍔部
８８ｂ    第２鍔部
８８ｃ    チューブ部分
８８ｄ    チューブ部分
９０      取付部
９２      弁体側取付孔部
９４      弁体側取付孔
９６      ケーシング側取付孔部
９８      ケーシング取付孔
１００    チューブ取付部
１０２    弁体側スリット部
１０４    ケーシング側スリット部
１０６    第１幅狭溝部
１０８    幅広溝部
１１０    第２幅狭溝部
１１２    突起部
１１４    チューブ抜け止め部材
１１４ａ  抑え部
１１４ｂ  爪部
１１４ｃ  嵌合部
１１６    チューブ抜け止め部材取付部
１１８    窪み部
１２０    係止孔
１２２    側面スリット
１２４    内部第１スリット
１２６    内部第２スリット
Ａ        取付位置
Ｂ        領域
Ｃ        領域
Ｄ        領域
【図１】
0006601610.tif 000002
【図２】
0006601610.tif 000003
【図３】
0006601610.tif 000004
【図４】
0006601610.tif 000005
【図５】
0006601610.tif 000006
【図６】
0006601610.tif 000007
【図７】
0006601610.tif 000008
【図８】
0006601610.tif 000009
【図９】
0006601610.tif 000010
【図１０】
0006601610.tif 000011
【図１１】
0006601610.tif 000012
【図１２】
0006601610.tif 000013
【図１３】
0006601610.tif 000014
【図１４】
0006601610.tif 000015
【図１５】
0006601610.tif 000016
【図１６】
0006601610.tif 000017
【図１７】
0006601610.tif 000018
【図１８】
0006601610.tif 000019
【図１９】
0006601610.tif 000020